(57)【要約】【課題】余剰なコストの削減および配管作業の容易化を図りながら、熱源機からの熱媒にて効果的に暖房する。【解決手段】暖房対象空間の床部に床暖房用の熱媒体流通管が配設され、その床暖房用の熱媒体流通管に熱媒を循環供給する熱源機７が設けられている床暖房設備において、暖房対象空間として、主暖房対象空間と、副暖房対象空間とが設けられ、熱源機７からの熱媒を主暖房対象空間に配設された主暖房用熱媒体流通管５に通流させる熱媒通流用の往き管８が、熱媒を断熱状態で通流させるように設けられ、主暖房用熱媒体流通管５を通流した熱媒を熱源機７に通流させる熱媒通流用の戻り管９が、熱媒を副暖房対象空間に配設された副暖房用熱媒体流通管６を通して熱源機７に戻すように構成されている。【選択図】        図１
2004163069.tif 000002
【特許請求の範囲】
【請求項１】
暖房対象空間の床部に床暖房用の熱媒体流通管が配設され、その床暖房用の熱媒体流通管に熱媒を循環供給する熱源機が設けられている床暖房設備であって、
前記暖房対象空間として、主暖房対象空間と、副暖房対象空間とが設けられ、
前記熱源機からの熱媒を前記主暖房対象空間に配設された主暖房用熱媒体流通管に通流させる熱媒通流用の往き管が、熱媒を断熱状態で通流させるように設けられ、
前記主暖房用熱媒体流通管を通流した熱媒を前記熱源機に通流させる熱媒通流用の戻り管が、熱媒を前記副暖房対象空間に配設された副暖房用熱媒体流通管を通して前記熱源機に戻すように構成されている床暖房設備。
【請求項２】
前記副暖房用熱媒体流通管は、前記主暖房用熱媒体流通管を通流した熱媒を並列状態で通流させるように設けられている請求項１に記載の床暖房設備。
【請求項３】
前記副暖房用熱媒体流通管は、分岐接続手段により前記主暖房用熱媒体流通管に分岐接続された複数の分岐管から構成され、
前記複数の分岐管が、前記副暖房対象空間としての廊下の長手方向に沿う状態で設けられている請求項１または２に記載の床暖房設備。
【請求項４】
前記熱源機からの熱媒を、前記主暖房用熱媒体流通管、前記副暖房用熱媒体流通管の順に通流させる主優先通流状態と、前記熱源機からの熱媒を、前記副暖房用熱媒体流通管、前記主暖房用熱媒体流通管の順に通流させる副優先通流状態とに切換自在な通流状態切換手段が設けられている請求項１〜３のいずれか１項に記載の床暖房設備。
【請求項５】
前記主暖房用熱媒体流通管を通流した熱媒を前記副暖房用熱媒体流通管を通流させて前記熱源機に戻す併用通流状態と、前記主暖房用熱媒体流通管を通流した熱媒を前記副暖房用熱媒体流通管をバイパスして前記熱源機に戻す単独通流状態とに切換自在なバイパス手段が設けられている請求項１〜４のいずれか１項に記載の床暖房設備。
【発明の詳細な説明】
【０００１】
【発明の属する技術分野】
本発明は、暖房対象空間の床部に床暖房用の熱媒体流通管が配設され、その床暖房用の熱媒体流通管に熱媒を循環供給する熱源機が設けられている床暖房設備に関する。
【０００２】
【従来の技術】
上記のような床暖房設備は、例えば、床暖房用の熱媒体流通管が配設された床暖房パネルをリビングや和室などの暖房対象空間の床部に敷設し、熱源機からの熱媒を熱媒体流通管に通流させる熱媒通流用の往き管と、熱媒体流通管を通流した熱媒を熱源機に通流させる熱媒通流用の戻り管とが設けられ、熱源機から熱媒としての温水を往き管および戻り管を通して床暖房パネルの熱媒体流通管に循環供給することにより、暖房対象空間を暖房している。
【０００３】
そして、従来では、熱媒通流用の往き管と戻り管とを束ねて、その外表面に発砲樹脂膜などを巻き付けた状態で、往き管と戻り管とをさや管に挿入し、往き管と戻り管とが、熱媒を断熱状態で通流させるように設けられている（例えば、特許文献１参照）。
【０００４】
【特許文献１】
特開２００１−２１１５７号公報
【０００５】
【発明が解決しようとする課題】
ところで、リビングや和室だけでなく、廊下や台所、脱衣所などにおいても、床暖房の要求があることから、従来では、リビングや和室を主暖房対象空間とし、廊下や台所、脱衣所などを副暖房対象空間として、主暖房対象空間だけでなく、副暖房対象空間にも、床暖房用の熱媒体流通管が配設された床暖房パネルを敷設して、主暖房対象空間に配設された主暖房用熱媒体流通管だけでなく、副暖房対象空間に配設された副暖房用熱媒体流通管にも、熱源機から熱媒を循環供給するようにしている。
このように、リビングや和室の主暖房対象空間だけでなく、廊下や台所、脱衣所などの副暖房対象空間にも、熱源機から熱媒を循環供給する場合には、主暖房対象空間に配設された主暖房用熱媒体流通管と副暖房対象空間に配設された副暖房用熱媒体流通管との夫々を、熱媒を断熱状態で通流させるように設けられた往き管と戻り管により熱源機に接続し、熱源機からの熱媒を、主暖房対象空間に配設された主暖房用熱媒体流通管と副暖房対象空間に配設された副暖房用熱媒体流通管とに並列状態で熱媒を循環供給するように構成されている。
【０００６】
しかしながら、上述のように構成されたものでは、主暖房対象空間に配設される主暖房用熱媒体流通管にも、副暖房対象空間に配設される副暖房用熱媒体流通管にも、熱源機から熱媒を一律に循環供給することになるので、余剰な暖房コストがかかることになる。
説明を加えると、副暖房対象空間は、主暖房対象空間に比べて、使用者が長時間存在する可能性が低く、主暖房対象空間に供給される熱媒体の温度と同様の温度の熱媒体を副暖房対象空間にも供給すると、副暖房対象空間では余剰な暖房が行われることとなって、余剰な暖房コストがかかることになる。
【０００７】
また、上述のように、主暖房対象空間だけでなく、副暖房対象空間にも、熱源機から熱媒を循環供給する場合には、主暖房対象空間に配設された主暖房用熱媒体流通管に接続される往き管と戻り管とを熱源機に接続するとともに、副暖房対象空間に配設された副暖房用熱媒体流通管に接続される往き管と戻り管とを熱源機に接続しなければならず、配管作業が複雑になる。
【０００８】
本発明は、かかる点に着目してなされたものであり、その目的は、余剰なコストの削減および配管作業の容易化を図りながら、熱源機からの熱媒にて効果的に暖房することができる床暖房設備を提供する点にある。
【０００９】
【課題を解決するための手段】
この目的を達成するために、請求項１に記載の発明によれば、暖房対象空間の床部に床暖房用の熱媒体流通管が配設され、その床暖房用の熱媒体流通管に熱媒を循環供給する熱源機が設けられている床暖房設備において、
前記暖房対象空間として、主暖房対象空間と、副暖房対象空間とが設けられ、前記熱源機からの熱媒を前記主暖房対象空間に配設された主暖房用熱媒体流通管に通流させる熱媒通流用の往き管が、熱媒を断熱状態で通流させるように設けられ、
前記主暖房用熱媒体流通管を通流した熱媒を前記熱源機に通流させる熱媒通流用の戻り管が、熱媒を前記副暖房対象空間に配設された副暖房用熱媒体流通管を通して前記熱源機に戻すように構成されている。
【００１０】
すなわち、熱源機からの熱媒は、往き管にて断熱状態で主暖房対象空間に配設された主暖房用熱媒体流通管に供給され、主暖房用熱媒体流通管を通流することにより、主暖房対象空間の床部に対して放熱することになる。
主暖房用熱媒体流通管を通流した放熱後の熱媒は、戻り管にて副暖房対象空間に配設された副暖房用熱媒体流通管に供給され、副暖房用熱媒体流通管を通流することにより、副暖房対象空間の床部に対して放熱したのち、熱源機に戻されることになる。
【００１１】
そして、熱源機からの熱媒は通流に伴う放熱によって温度が低下するので、熱源機から副暖房用熱媒体流通管よりも先に断熱状態で熱媒が供給される主暖房用熱媒体流通管が配設された主暖房対象空間では、使用者が快適感を得られる温度まで暖房することができ、副暖房用熱媒体流通管が配設された副暖房対象空間では、主暖房対象空間よりも低い温度となるように暖房することができることになる。
ちなみに、熱源機からの熱媒の温度を６０℃とすると、その６０℃の熱媒が主暖房用熱媒体流通管を通流し、主暖房用熱媒体流通管の長さなどにより多少異なるが、主暖房用熱媒体流通管を通流した放熱後の熱媒の温度は５０℃程度となり、その５０℃程度の熱媒が、副暖房用熱媒体流通管を通流することになる。
【００１２】
したがって、使用者が長時間存在する可能性の高い主暖房対象空間では、使用者が求める所望の暖房効果を得ながら、使用者が長時間存在する可能性の低い副暖房対象空間でも、主暖房対象空間ほど高温ではないものの、暖房効果を得ることができることになるので、主暖房対象空間では、使用者が求める所望の暖房効果を得ながら、副暖房対象空間では、余剰な暖房を防止しながらも、暖房効果を得ることができることになる。
【００１３】
しかも、主暖房対象空間に配設された主暖房用熱媒体流通管に接続される戻り管が、熱媒を副暖房用熱媒体流通管を通して熱源機に戻すので、戻り管の一部を副暖房対象空間に配設することにより、戻り管の一部を副暖房用熱媒体流通管として利用することができることになる。
したがって、主暖房対象空間に配設された主暖房用熱媒体流通管に接続される往き管と戻り管とを熱源機に接続するだけで、主暖房対象空間に配設された主暖房用熱媒体流通管だけでなく、副暖房対象空間に配設された副暖房用熱媒体流通管にも、熱源機から熱媒を循環供給することができることとなって、配管作業の容易化を図ることができることになる。
【００１４】
以上のことをまとめると、請求項１に記載の発明によれば、熱源機からの熱媒の通流によって、余剰なコストの削減および配管作業の容易化を図りながら、主暖房対象空間だけでなく、副暖房対象空間をも効果的に暖房することができる床暖房設備を提供できるに至った。
【００１５】
請求項２に記載の発明によれば、前記副暖房用熱媒体流通管は、前記主暖房用熱媒体流通管を通流した熱媒を並列状態で通流させるように設けられている。
【００１６】
すなわち、主暖房用熱媒体流通管を通流した放熱後の熱媒は、副暖房用熱媒体流通管を通流することにより、副暖房対象空間を並列状態で通流することになるので、主暖房用熱媒体流通管を通流した放熱後の熱媒によって副暖房対象空間の床部の全体にわたって放熱させることができることになる。
したがって、副暖房対象空間の全体にわたって暖房することができるので、使用者により快適な暖房効果を与えることができることになる。
【００１７】
請求項３に記載の発明によれば、前記副暖房用熱媒体流通管は、分岐接続手段により前記主暖房用熱媒体流通管に分岐接続された複数の分岐管から構成され、前記複数の分岐管が、前記副暖房対象空間としての廊下の長手方向に沿う状態で設けられている。
【００１８】
すなわち、主暖房用熱媒体流通管を通流した放熱後の熱媒は、分岐接続手段により主暖房用熱媒体流通管に分岐接続された複数の分岐管に分岐供給されて、副暖房対象空間である廊下の長手方向に沿って通流することになるので、副暖房対象空間である廊下における熱媒の通流距離を、廊下の長手方向の一端部から他端部までの距離とし、その通流距離を短くすることができ、廊下での熱媒の通流抵抗を小さくすることができることになる。
説明を加えると、例えば、副暖房用熱媒体流通管を、主暖房用熱媒体流通管に接続された１本の流通管にて構成し、その流通管を、廊下の長手方向の端部で折り返す状態で、蛇行状に配設すると、廊下における熱媒の通流距離が長くなり、廊下での熱媒の通流抵抗が増大することになる。
【００１９】
したがって、副暖房対象空間である廊下での熱媒の通流抵抗を小さくすることにより、コストのかかる能力の大きな循環ポンプを熱源機に備えなくても、熱源機からの熱媒を、主暖房対象空間と副暖房対象空間である廊下とに通流させることができることとなって、コストの低減を図りながら、主暖房対象空間と副暖房対象空間とを暖房することができることになる。
【００２０】
請求項４に記載の発明によれば、前記熱源機からの熱媒を、前記主暖房用熱媒体流通管、前記副暖房用熱媒体流通管の順に通流させる主優先通流状態と、前記熱源機からの熱媒を、前記副暖房用熱媒体流通管、前記主暖房用熱媒体流通管の順に通流させる副優先通流状態とに切換自在な通流状態切換手段が設けられている。
【００２１】
すなわち、手動操作や切換指令が指令されるなどによって、通流状態切換手段を主優先通流状態と副優先通流状態とに切り換えることにより、熱源機からの熱媒を副暖房対象空間よりも先に主暖房対象空間に通流させて、副暖房対象空間よりも主暖房対象空間で、高温の暖房効果を得る状態と、熱源機からの熱媒を主暖房対象空間よりも先に副暖房対象空間に通流させて、主暖房対象空間よりも副暖房対象空間で、高温の暖房効果を得る状態とに切り換えることができることになる。
したがって、主暖房対象空間と副暖房対象空間のどちらで高温の暖房効果が必要であるかという使用者の使用形態に対応する状態で、主暖房対象空間と副暖房対象空間とを暖房させることができることとなって、使い勝手のよいものとなる。
【００２２】
請求項５に記載の発明によれば、前記主暖房用熱媒体流通管を通流した熱媒を前記副暖房用熱媒体流通管を通流させて前記熱源機に戻す併用通流状態と、前記主暖房用熱媒体流通管を通流した熱媒を前記副暖房用熱媒体流通管をバイパスして前記熱源機に戻す単独通流状態とに切換自在なバイパス手段が設けられている。
【００２３】
すなわち、手動操作や切換指令が指令されるなどによって、バイパス手段を併用通流状態と単独通流状態とに切り換えることにより、熱源機からの熱媒を主暖房対象空間と副暖房対象空間との両方に通流させて主暖房対象空間と副暖房対象空間の両方で暖房効果を得る状態と、熱源機からの熱媒を主暖房対象空間のみ通流させて、主暖房対象空間でのみ暖房効果を得る状態とに切り換えることができることになる。
したがって、主暖房対象空間と副暖房対象空間との両方を暖房するか、あるいは、主暖房対象空間のみを暖房するかという使用者の使用形態に対応する状態で、暖房を行うことができることとなって、使い勝手の向上を図ることができることになる。
【００２４】
【発明の実施の形態】
本発明にかかる床暖房設備を図面に基づいて説明する。
〔第１実施形態〕
この床暖房設備は、図１〜図３に示すように、主暖房対象空間としてのリビング１の床部に敷設する主床暖房パネル２と、副暖房対象空間としての廊下３の床部に敷設する副床暖房パネル４と、主床暖房パネル２に配設された主暖房用熱媒体流通管５および副床暖房パネル４に配設された副暖房用熱媒体流通管６に熱媒としての温水を循環供給する熱源機７などを備えて構成されている。
ちなみに、図１は、床暖房設備の概略構成図を示し、図２は、暖房対象住居に床暖房設備を設置した状態での一部切欠平面図を示し、図３は、暖房対象住居に床暖房設備を設置した状態での要部の縦断側面図を示している。
【００２５】
前記熱源機７からの熱媒を主暖房パネル２に配設された主暖房用熱媒体流通管５に通流させる熱媒通流用の往き管８や、主暖房用熱媒体流通管５を通流した熱媒を熱源機７に通流させる熱媒通流用の戻り管９などにより、主床暖房パネル２、副床暖房パネル４、および、熱源機７が接続されている。
そして、熱源機７からの熱媒を、主床暖房パネル２、副床暖房パネル４の順に流動させるように構成されている。
【００２６】
前記主暖房パネル２は、板状基材２ａに凹状の主暖房用熱媒体流通管配設用の溝部２ｂを形成し、主暖房用熱媒流通管５が、蛇行状になるように溝部２ｂにわたって配設されて構成されている。
前記板状基材２ａは、例えば、ポリエチレン発泡体などの発泡体にて構成され、主暖房用熱媒体流通管５は、一般的に架橋ポリエチレン管やポリブテン樹脂管など可撓性のあるものが用いられ、溝部２ｂにわたって蛇行状に配管された接続部のない管により構成されている。
前記主暖房用熱媒体流通管５は、導入側の端部および排出側の端部が往き管８からの熱媒を導入し主暖房用熱媒体流通管５を通流した熱媒を排出する主パネル用熱媒ヘッダ１０に接続される状態で配設されている。
また、溝部２ｂに主暖房用熱媒体流通管５を配設した状態で、板状基材２ａの上面に均熱用のアルミ材２ｃが設けられ、そのアルミ材２ｃの上面にフローリングなどの床仕上げ材１１が設けられている。
【００２７】
上述のように構成された主床暖房パネル２は、リビング１の床部に並ぶ状態で２つ敷設され、熱源機７からの熱媒が、往き管８を通して主パネル用熱媒ヘッダ１０を介して主暖房用熱媒体流通管５に供給され、その主暖房用熱媒体流通管５を通流することにより、リビング１を暖房するように構成されている。
【００２８】
前記副床暖房パネル４は、板状基材４ａに凹状の副暖房用熱媒体流通管配設用の溝部４ｂを形成し、副暖房用熱媒体流通管６が、廊下３の長手方向に沿う直線状で、廊下３の長手方向に直交する横幅方向に間隔を隔てて並ぶように溝部４ｂに配設されて構成されている。
前記板状基材４ａは、例えば、木質系のもので構成され、溝部４ｂの形成箇所を、廊下３の横幅方向の中央部分に集中するように構成され、副暖房用熱媒体流通管６を廊下３の横幅方向の中央部分に集中する状態で配設するようにしている。
ちなみに、板状基材４ａについては、溝部４ｂがその横幅方向の一端側に偏って形成されたものと、溝部４ｂがその横幅方向に一定の間隔を隔てて形成されたものとを組み合わせて形成したり、ひとつの板状基材から形成することが可能である。
【００２９】
前記副暖房用熱媒体流通管６は、導入側の端部が主暖房用熱媒体流通管５を通流した熱媒を導入する導入側副パネル用熱媒ヘッダ１２に接続されかつ排出側の端部が副暖房用熱媒体流通管６を通流した熱媒を排出する排出側副パネル用熱媒ヘッダ１３に接続される状態で配設されている。
【００３０】
また、溝部４ｂに副暖房用熱媒体流通管６を配設した状態で、板状基材４ａの上面に均熱用のアルミ材４ｃが設けられ、そのアルミ材４ｃの上面にフローリングなどの床仕上げ材１４が設けられている。
ちなみに、副床暖房パネル４の上面部に設けられる床仕上げ材１１は、主床暖房パネル２の上面部に設けられる床仕上げ材１４と同じ厚みのものでもよく、厚みの薄いものでもよい。
例えば、厚みを薄くする場合には、主床暖房パネル２に設けられる床仕上げ材１１の厚さが１２ｍｍであると、副床暖房パネル４に設けられる床仕上げ材１４の厚みを３〜９ｍｍとしてもよい。
【００３１】
前記往き管８が、熱媒を断熱状態で通流させるように設けられ、戻り管９が、熱媒を副床暖房パネル４に配設された副暖房用熱媒体流通管６を通して熱源機７に戻すように構成されている。
【００３２】
以下、往き管８の構成について説明を加える。
この実施形態では、リビング１に主床暖房パネル２が２つ設けられているので、主床暖房パネル２の夫々に熱源機７からの熱媒を供給するために、同様の構成の往き管８が２本設けられている。
そして、２本の往き管８は、その外表面に断熱用テープ１５が巻き付けられた状態で束ねられて、その束ねられた状態でさや管１６に挿入され、熱媒を断熱状態に通流させるように構成されている。
【００３３】
２本の往き管８が挿入されたさや管１６は、床下空間Ｋと主床暖房パネル２の設置空間とを連通する床下切欠空間Ｋ１を利用して、主床暖房パネル２の設置位置の近くで上方に立ち上がる状態で、床下空間Ｋに配設されている。
そして、２本の往き管８が、主床暖房パネル２の主パネル用熱媒ヘッダ１０の夫々に接続されて、熱源機７からの熱媒を往き管８を通して主暖房用熱媒体流通管５に通流させるように構成されている。
【００３４】
ちなみに、図３に示すものでは、２本の往き管８が横に並ぶ状態で束ねられており、２本の往き管８の夫々は、パイプ径が同じもしくは異なる２本の管８ａ，８ｂから構成され、熱源機７に接続される管８ａと主パネル用熱媒ヘッダ１０に接続される管８ｂとを通流管用の接続具１７によって接続するようにしている。
【００３５】
このようにして、熱源機７からの熱媒を、往き管８を通して断熱状態で床下空間Ｋを通流させたのち、主床暖房パネル２に配設された主暖房用熱媒体流通管５に供給して、主暖房用熱媒体流通管５を通流させるように構成されている。
【００３６】
以下、戻り管９の構成について説明を加える。
この実施形態では、リビング１に主床暖房パネル２が２つ設けられているので、主床暖房パネル２の夫々から、副床暖房パネル４を通して熱源機７に戻すために、同様の構成の戻り管９が２本設けられている。
【００３７】
前記戻り管９は、主床暖房パネル２に配設された主暖房用熱媒体流通管５を通流した熱媒を熱源機７に戻すように、主床暖房パネル２と熱源機７とを接続するように設けられ、その戻り管９の一部が、副暖房用熱媒体流通管６として副床暖房パネル４に配設されている。
そして、副暖房用熱媒体流通管６は、分岐接続手段としての導入側副パネル用熱媒ヘッダ１２により主暖房用熱媒体流通管５に分岐接続された複数の分岐管６ａから構成され、複数の分岐管６ａが、廊下３の長手方向に沿う状態で設けられている。
このようにして、副暖房用熱媒体流通管６は、主暖房用熱媒体流通管５を通流した熱媒を並列状態で廊下３の長手方向に沿って副床暖房パネル４を通流させるように設けられている。
【００３８】
説明を加えると、主暖房用熱媒体流通管５が接続された主パネル用熱媒ヘッダ１０と導入側副パネル用熱媒ヘッダ１２とを接続する熱媒通流用の連絡管１８が設けられ、その連絡管１８を介して導入側副パネル用熱媒ヘッダ１２により主暖房用熱媒体流通管５に副暖房用熱媒体流通管６としての４本の分岐管６ａが分岐接続されている。
そして、４本の分岐管６ａの夫々は、副床暖房パネル４における板状基材４ａの溝部４ｂの夫々に配設され、４本の分岐管６ａが、廊下３の長手方向に沿う直線状で、廊下３の長手方向に直交する横幅方向に間隔を隔てて並ぶように配設され、副暖房用熱媒体流通管６として構成されている。
また、排出側副パネル用熱媒ヘッダ１３と熱源機７とを接続する熱媒通流用の接続管１９が設けられ、排出側副パネル用熱媒ヘッダ１３が、副暖房用熱媒体流通管６として４本の分岐管６ａからの熱媒を合流させて接続管１９に通流させるように構成されている。
【００３９】
このようにして、連絡管１８、４本の分岐管６ａ、接続管１９により戻り管９が構成され、主暖房用熱媒体流通管５を通流した熱媒を、戻り管９の一部であり副暖房パネル４に配設された４本の分岐管６ａを通して熱源機７に戻すように構成されている。
【００４０】
〔第２実施形態〕
この第２実施形態は、上記第１実施形態において、熱媒の通流状態を切り換える構成を追加したものであり、その熱媒の通流状態を切り換える構成を主体として図面に基づいて説明を加える。
なお、熱媒の通流状態を切り換える構成以外の構成については、上記第１実施形態と同様であるので、同符号を記すなどにより、その詳細な説明は省略する。
【００４１】
この第２実施形態では、図４に示すように、熱源機７からの熱媒を、主暖房用熱媒体流通管５、副暖房用熱媒体流通管６の順に通流させる主優先通流状態と、熱源機７からの熱媒を、副暖房用熱媒体流通管６、主暖房用熱媒体流通管５の順に通流させる副優先状態とに切換自在な通流状態切換手段としての通流状態切換機構２０が設けられている。
ちなみに、図４では、熱媒の通流状態を切り換える構成を主体として説明するために、主床暖房パネル２をリビング１にひとつ設けた例を示している。
【００４２】
説明を加えると、往き管８の熱源機側の端部部分が供給側往き管部分８ｃと戻し側往き管部分８ｄに分岐され、戻り管９としての接続管１９の熱源機側の端部部分が戻し側戻り管部分１９ａと供給側戻り管部分１９ｂに分岐されている。
また、熱源機７に接続された熱媒供給用の接続管２１が、分岐接続具２２により供給側往き管部分８ｃと供給側戻り管部分１９ｂとに分岐接続され、戻し側往き管部分８ｄと戻し側戻り管部分１９ａとが、合流接続具２３により熱源機７に接続された熱媒戻し用の接続管２４に合流接続されている。
そして、供給側往き管部分８ｃ、戻し側往き管部分８ｄ、戻し側戻り管部分１９ａ、供給側戻り管部分１９ｂの夫々には、通流状態切換機構２０としての開閉弁２０ａ〜２０ｄが設けられ、これらの開閉弁２０ａ〜２０ｄの開閉状態を制御することにより、主優先通流状態と副優先通流状態とに切り換えるように構成されている。
主優先通流状態と副優先通流状態との選択については、図外のリモコンにより選択可能であり、このリモコンによる選択情報に基づいて、図外の制御手段が、開閉弁２０ａ〜２０ｄの開閉状態を制御するように構成されている。
【００４３】
具体的に説明すると、リモコンにより主優先通流状態が選択されると、制御手段は、供給側往き管部分８ｃの開閉弁２０ａと戻し側戻り管部分１９ａの開閉弁２０ｄとを開状態にかつ戻し側往き管部分８ｄの開閉弁２０ｃと供給側戻り管部分１９ｂの開閉弁２０ｂを閉状態にするようにしている。
また、リモコンにより副優先通流状態が選択されると、制御手段は、戻し側往き管部分８ｄの開閉弁２０ｃと供給側戻り管部分１９ｂの開閉弁２０ｂを開状態にかつ供給側往き管部分８ｃの開閉弁２０ａと戻し側戻り管部分１９ａの開閉弁２０ｄとを閉状態にようにしている。
【００４４】
また、この第２実施形態では、上述の通流状態切換機構２０に加えて、主暖房用熱媒体流通管５を通流した熱媒を副暖房用熱媒体流通管６を通流させて熱源機７に戻す併用通流状態と、主暖房用熱媒体流通管５を通流した熱媒を副暖房用熱媒体流通管６をバイパスして熱源機７に戻す単独通流状態とに切換自在なバイパス手段としてのバイパス機構２５が設けられている。
【００４５】
説明を加えると、主暖房用熱媒体流通管５を通流した熱媒を、副暖房用熱媒体流通管６としての分岐管６ａをバイパスして接続管１９に通流させるバイパス管２６が設けられ、主パネル用熱媒ヘッダ１０に接続された連絡管１８を、４本の分岐管６ａ側とバイパス管２６側と分岐接続するバイパス機構付きの導入側副パネル用熱媒ヘッダ２７が設けられている。
そして、バイパス機構付きの導入側副パネル用熱媒ヘッダ２７は、バイパス機構としての２つの開閉弁２５ａ，２５ｂを備えて、その開閉弁２５ａ，２５ｂのいずれか一方を選択して開状態とすることにより、併用通流状態と単独通流状態とを切り換えるように構成されている。
併用通流状態と単独通流状態との選択については、図外のリモコンにより選択可能であり、このリモコンによる選択情報に基づいて、図外の制御手段が、バイパス機構付きの導入側副パネル用熱媒ヘッダ２７の開閉弁２５ａ，２５ｂの開閉状態を制御するように構成されている。
【００４６】
具体的に説明すると、リモコンにより併用通流状態が選択されると、制御手段は、分岐管６ａ側の開閉弁２５ａを開状態にかつバイパス管２６側の開閉弁２５ｂを閉状態にするようにしている。
また、リモコンにより単独通流状態が選択されると、制御手段は、バイパス管２６側の開閉弁２５ｂを開状態にかつ分岐管６ａ側の開閉弁２５ａを閉状態にするようにしている。
【００４７】
〔別実施形態〕
（１）上記第１および第２実施形態では、副床暖房パネル４において、溝部４ｂの形成箇所を、廊下３の横幅方向の中央部分に集中するように構成され、副暖房用熱媒体流通管６を廊下３の横幅方向の中央部分に集中する状態で配設するようにしているが、例えば、溝部４ｂの形成箇所が、廊下３の横幅方向に所定の間隔を隔てて存在するように構成し、その溝部４ｂのうち、廊下３の横幅方向の中央部分に形成された溝部４ｂのみに副暖房用熱媒体流通管６を配設することにより、副暖房用熱媒体流通管６を廊下３の横幅方向の中央部分に集中する状態で配設することも可能である。
説明を加えると、図５に示すように、所定間隔を隔てて溝部４ｂが形成された板状基材４Ａと、小根太などの合板４Ｂとを組み合わせることにより、板状基材４ａを形成する。
そして、板状基材４ａの溝部４ｂのうち、廊下３の横幅方向の両端側の２つの溝部４ｂには、副暖房用熱媒体流通管６を配設せず、廊下３の横幅方向の中央部分側の８つの溝部４ｂには、副暖房用熱媒体流通管６を配設する。
【００４８】
（２）上記第２実施形態では、熱媒の通流状態を切り換える構成として、通流状態切換機構２０とバイパス機構２５とが設けられているが、通流状態切換機構２０のみ、あるいは、バイパス機構２５のみを設けて実施することも可能である。
【００４９】
（３）上記第１および第２実施形態では、副暖房用熱媒体流通管６が、主暖房用熱媒体流通管５に分岐接続された複数の分岐管６ａから構成され、複数の分岐管６ａを廊下３の長手方向に沿う状態で設けることにより、主暖房用熱媒体流通管５を通流した熱媒を並列状態で通流させるようにしているが、例えば、副暖房用熱媒体流通管６を、主暖房用熱媒体流通管５に接続された１本の熱媒通流管から構成し、その熱媒通流管を廊下３の長手方向または横幅方向の端部で折り返す状態で蛇行状に配設することにより、主暖房用熱媒体流通管５を通流した熱媒を直列状態で通流されるようにして実施することも可能である。
【００５０】
（４）上記第１および第２実施形態では、主暖房対象空間としてのリビング１の床部に主暖房用熱媒体流通管５が配設された主床暖房パネル２を敷設し、副暖房対象空間としての廊下３の床部に副暖房用熱媒体流通管６が配設された副床暖房パネル４を敷設して、リビング１および廊下３を暖房するようにしているが、単に、主暖房対象空間としてのリビング１の床部に主暖房用熱媒体流通管５を配設し、副暖房対象空間としての廊下３の床部に副暖房用熱媒体流通管６を配設することにより、リビング１および廊下３を暖房することも可能である。
【００５１】
（５）上記第１および第２実施形態では、主暖房対象空間をリビング１とし、副暖房対象空間を廊下３としているが、主暖房対象空間を和室とし、副暖房対象空間を台所として実施することも可能であり、主暖房対象空間および副暖房対象空間については適宜変更が可能である。
【図面の簡単な説明】
【図１】第１実施形態における床暖房設備の概略構成図
【図２】床暖房設備を暖房対象住居に設置した状態での平面図
【図３】床暖房設備を暖房対象住居に設置した状態での縦断側面図
【図４】第２実施形態における床暖房設備の概略構成図
【図５】別実施形態における副床暖房パネルを示す図
【符号の説明】
１              主暖房対象空間
３              副暖房対象空間としての廊下
５              主暖房用熱媒体流通管
６              副暖房用熱媒体流通管
６ａ            分岐管
７              熱源機
８              往き管
９              戻り管
１２            分岐接続手段
２０            通流状態切換機構
２５            バイパス機構
【図１】
2004163069.tif 000003
【図２】
2004163069.tif 000004
【図３】
2004163069.tif 000005
【図４】
2004163069.tif 000006
【図５】
2004163069.tif 000007